(57)【要約】【課題】  容易に遠用光路と近用光路とを切り換え可能で、歪みの軽減された視標を被検眼に投影する。【解決手段】  凹面ミラーと、視標を表示するディスプレイと、を有し、ディスプレイから出射された視標光束を凹面ミラーで反射させて、光学的に所定の遠用検査距離に視標を呈示する視標呈示ユニットと、を備え、視標呈示ユニットを用いて被検眼に遠用検査用光路にて視標を呈示し、被検眼の遠用視機能を検査する検眼装置において、遠用検査用光路と，凹面ミラーの反射を介さずに被検眼へディスプレイからの視標光束を導光する近用検査用光路と，を切り換える光路切換手段と、ディスプレイの画面の傾斜角度を遠用検査と近用検査とで変更する角度変更手段と、を備える。【選択図】      図１
2014028067.tif 000002
【特許請求の範囲】
【請求項１】
凹面ミラーと、視標を表示するディスプレイと、を有し、前記ディスプレイから出射された視標光束を前記凹面ミラーで反射させて、光学的に所定の遠用検査距離に視標を呈示する視標呈示ユニットと、を備え、
前記視標呈示ユニットを用いて被検眼に遠用検査用光路にて視標を呈示し、被検眼の遠用視機能を検査する検眼装置において、
前記遠用検査用光路と，前記凹面ミラーの反射を介さずに被検眼へ前記ディスプレイからの視標光束を導光する近用検査用光路と，を切り換える光路切換手段と、
前記ディスプレイの画面の傾斜角度を遠用検査と近用検査とで変更する角度変更手段と、
を備えることを特徴とする検眼装置。
【請求項２】
請求項１の検眼装置において、
前記凹面ミラーは、被検眼が正面を見るときの正面方向の基準軸上に配置され、
前記角度変更手段は、前記光路切換手段によって、前記遠用検査用光路と前記近用検査用光路とで切り換えた時に、被検眼が前記ディスプレイの画面を見た場合に、前記基準軸に対して画面が略垂直に位置する画面として観察できるように、前記ディスプレイの画面の傾斜角度を変更することを特徴とする検眼装置。
【請求項３】
請求項２の検眼装置において、
前記光路切換手段は、被検眼と前記凹面ミラーと間に挿脱可能な反射部材を有し、被検眼と前記凹面ミラーとの間に前記反射部材を挿脱することにより、前記遠用検査用光路と前記近用検査用光路とを切り換え、
前記角度変更手段は、前記近用検査用光路への切換時には、前記ディスプレイの画面に対する法線方向と，前記基準軸が前記反射部材で反射された軸の方向と，が略一致するように、前記ディスプレイの画面の傾斜角度を変更し、前記遠用検査用光路への切換時には、前記ディスプレイの画面に対する法線方向と，前記基準軸が前記凹面ミラーで反射された軸の方向と，が略一致するように、前記ディスプレイの画面の傾斜角度を変更することを特徴とする検眼装置。
【請求項４】
請求項１の検眼装置において、
被検眼の額付近に配置された光路変更ミラーを備え、
前記遠用検査用光路は、前記ディスプレイが前記凹面ミラー側に配置され、前記ディスプレイからの視標光束を前記光路変更ミラーで反射させて前記凹面ミラーに向かわせるように構成され、
前記光路切換手段は、前記ディスプレイを被検眼と前記凹面ミラーとの間の光路に挿脱することによって、前記遠用検査用光路と，前記近用検査用光路と，を切り換え、
前記角度変更手段は、前記基準軸に対して、前記ディスプレイの画面が略垂直な関係となるように、前記ディスプレイの傾斜角度を変更することを特徴とする検眼装置。
【請求項５】
請求項３の検眼装置において、
前記光路切換手段は、前記反射部材の傾斜角度を変更するための反射部材用傾斜角度変更手段を有し、
前記光路切換手段は、被検眼と前記凹面ミラーと間に前記反射部材を挿入した状態で、前記反射部材を基準軸上で移動させ、且つ、前記反射部材用傾斜角度変更手段によって、前記反射部材の傾斜角度を変更し、前記近用検査用光路の近用検査距離を変化させ、
前記角度変更手段は、前記ディスプレイの画面に対する法線方向と，前記基準軸が前記反射部材で反射された軸の方向と，が略一致するように、前記ディスプレイの画面の傾斜角度を変更することを特徴とする検眼装置。
【請求項６】
請求項１〜５のいずれかの検眼装置において、
前記視標呈示ユニットは、前記ディスプレイの画面に対する法線方向を前記凹面ミラーの光軸に対して傾斜させて配置され、視標光束を前記凹面ミラーの光軸に対してずらして入射させることを特徴とする検眼装置。
【請求項７】
請求項１〜６のいずれかの検眼装置において、
検査窓に光学素子を切り換え配置する左右一対のレンズ室ユニットを有する眼屈折力測定ユニットと、
前記視標呈示ユニットを保持すると共に、前記検査窓が前記基準軸と同一となる高さに位置するように前記眼屈折力測定ユニットを保持する保持ユニットと、を備えることを特徴とする検眼装置。
【請求項８】
請求項１の検眼装置において、
前記光路切換手段は、前記ディスプレイからの視標光束を反射して被検眼に導光する反射ミラーを被検眼と前記凹面ミラーとの間の光路に挿脱させるか、又は前記ディスプレイを被検眼と前記凹面ミラーとの間の光路に移動する移動手段を備えることを特徴とする検眼装置。
【発明の詳細な説明】
【技術分野】
【０００１】
本発明は、視機能検査のための検査視標を表示し、視機能検査を行う検眼装置に関する。
【背景技術】
【０００２】
筐体内に視標板、視標板を照明するハロゲンランプ等の光源、斜設されたビームスプリッタ及び凹面ミラーが配置され、光源によって照明された視標板の視標光束をビームスプリッタ及び凹面ミラーを介して被検眼（被検者眼）に導光し、検査視標を呈示する視標呈示装置が知られている特許文献１参照）。
【０００３】
また、凹面ミラーとビームスプリッタを介して視標板からの視標光束を被検眼に導光する遠用光路と、凹面ミラーを介さずに、視標光束を被検眼に導光する近用光路と、を切り換えることのできる検眼装置が知られている（特許文献２参照）。
【先行技術文献】
【特許文献】
【０００４】
【特許文献１】特開平０６−１９７８６７号公報
【特許文献２】特開平０７−２９９０３２号公報
【発明の概要】
【発明が解決しようとする課題】
【０００５】
しかしながら、上記のような装置において、視標板に代えて視標を表示するディスプレイを用いようとした場合、ディスプレイの光量が低いため、ビームスプリッタを介して呈示される視標の光量が不足し、的確な検査が行えない。また、従来は大きなサイズのビームスプリッタが斜設されていたため、筐体の省スペース化に限界があった。
【０００６】
また、遠用光路と近用光路を切り換え可能な装置において、遠用検査と近用検査において、同一に被検眼を位置させ、光路を切り換えて、視標の観察を行った場合、被検眼に導光される視標に歪みが生じる。これによって、視機能検査の精度が低下する可能性がある。
【０００７】
本発明は、上記問題点を鑑み、視標を表示するディスプレイを使用した構成で、省スペース化を図りつつ、的確な検査が行うための視標呈示が行える検眼装置を提供する。
【課題を解決するための手段】
【０００８】
上記課題を解決するために、本発明は以下のような構成を備えることを特徴とする。
【０００９】
（１）  凹面ミラーと、視標を表示するディスプレイと、を有し、前記ディスプレイから出射された視標光束を前記凹面ミラーで反射させて、光学的に所定の遠用検査距離に視標を呈示する視標呈示ユニットと、を備え、前記視標呈示ユニットを用いて被検眼に遠用検査用光路にて視標を呈示し、被検眼の遠用視機能を検査する検眼装置において、前記遠用検査用光路と，前記凹面ミラーの反射を介さずに被検眼へ前記ディスプレイからの視標光束を導光する近用検査用光路と，を切り換える光路切換手段と、前記ディスプレイの画面の傾斜角度を遠用検査と近用検査とで変更する角度変更手段と、を備えることを特徴とする。
（２）  （１）の検眼装置において、前記凹面ミラーは、被検眼が正面を見るときの正面方向の基準軸上に配置され、前記角度変更手段は、前記光路切換手段によって、前記遠用検査用光路と前記近用検査用光路とで切り換えた時に、被検眼が前記ディスプレイの画面を見た場合に、前記基準軸に対して画面が略垂直に位置する画面として観察できるように、前記ディスプレイの画面の傾斜角度を変更することを特徴とする。
（３）  （２）の検眼装置において、前記光路切換手段は、被検眼と前記凹面ミラーと間に挿脱可能な反射部材を有し、被検眼と前記凹面ミラーとの間に前記反射部材を挿脱することにより、前記遠用検査用光路と前記近用検査用光路とを切り換え、前記角度変更手段は、前記近用検査用光路への切換時には、前記ディスプレイの画面に対する法線方向と，前記基準軸が前記反射部材で反射された軸の方向と，が略一致するように、前記ディスプレイの画面の傾斜角度を変更し、前記遠用検査用光路への切換時には、前記ディスプレイの画面に対する法線方向と，前記基準軸が前記凹面ミラーで反射された軸の方向と，が略一致するように、前記ディスプレイの画面の傾斜角度を変更することを特徴とする。
（４）  （１）の検眼装置において、被検眼の額付近に配置された光路変更ミラーを備え、前記遠用検査用光路は、前記ディスプレイが前記凹面ミラー側に配置され、前記ディスプレイからの視標光束を前記光路変更ミラーで反射させて前記凹面ミラーに向かわせるように構成され、前記光路切換手段は、前記ディスプレイを被検眼と前記凹面ミラーとの間の光路に挿脱することによって、前記遠用検査用光路と，前記近用検査用光路と，を切り換え、前記角度変更手段は、前記基準軸に対して、前記ディスプレイの画面が略垂直な関係となるように、前記ディスプレイの傾斜角度を変更することを特徴とする。
（５）  （３）の検眼装置において、前記光路切換手段は、前記反射部材の傾斜角度を変更するための反射部材用傾斜角度変更手段を有し、前記光路切換手段は、被検眼と前記凹面ミラーと間に前記反射部材を挿入した状態で、前記反射部材を基準軸上で移動させ、且つ、前記反射部材用傾斜角度変更手段によって、前記反射部材の傾斜角度を変更し、前記近用検査用光路の近用検査距離を変化させ、前記角度変更手段は、前記ディスプレイの画面に対する法線方向と，前記基準軸が前記反射部材で反射された軸の方向と，が略一致するように、前記ディスプレイの画面の傾斜角度を変更することを特徴とする。
（６）  （１）〜（５）のいずれかの検眼装置において、前記視標呈示ユニットは、前記ディスプレイの画面に対する法線方向を前記凹面ミラーの光軸に対して傾斜させて配置され、視標光束を前記凹面ミラーの光軸に対してずらして入射させることを特徴とする。
（７）  （１）〜（６）のいずれかの検眼装置において、検査窓に光学素子を切り換え配置する左右一対のレンズ室ユニットを有する眼屈折力測定ユニットと、前記視標呈示ユニットを保持すると共に、前記検査窓が前記基準軸と同一となる高さに位置するように前記眼屈折力測定ユニットを保持する保持ユニットと、を備えることを特徴とする。
（８）  （１）の検眼装置において、前記光路切換手段は、前記ディスプレイからの視標光束を反射して被検眼に導光する反射ミラーを被検眼と前記凹面ミラーとの間の光路に挿脱させるか、又は前記ディスプレイを被検眼と前記凹面ミラーとの間の光路に移動する移動手段を備えることを特徴とする。
【発明の効果】
【００１０】
本発明によれば、視標を表示するディスプレイを使用した構成で、的確な検査が行うための視標呈示が行える。また、容易に遠用光路と近用光路とを切り換え可能で、歪みの軽減された視標を被検眼に投影することができる。
【発明を実施するための形態】
【００１１】
以下、本発明に係る実施形態を図面に基づいて説明する。図１〜図１１は本実施形態に係る検眼装置の構成について説明する図である。
【００１２】
＜概要＞
本発明の実施形態に係る検眼装置の概要について説明する。本実施形態に関わる検眼装置１は、視標呈示ユニット３と、自覚式眼屈折力測定ユニット８（以下、測定ユニット８と略す）と、を備える。検眼装置１は、視標呈示ユニット３を用いて被検眼に遠用検査用光路にて視標を呈示し、被検眼の遠用視機能を検査する。測定ユニット８は、検査窓８１に光学素子（例えば、矯正レンズ）を切り換え配置する左右一対のレンズ室ユニット８０を有する。例えば、検眼装置１は、測定ユニット８の検査窓８１を覗く被検眼に検査視標を呈示し、被検眼の遠用視機能を検査する。
【００１３】
また、検眼装置１は、検眼テーブル（検眼テーブルユニット）２と、保持手段（保持ユニット）１０と、を有する。保持ユニット１０は、視標呈示ユニット３を保持すると共に、検査窓８１が基準軸Ｌ１と同一となる高さに位置するように測定ユニット８を保持する。例えば、保持ユニット１０は、視標呈示ユニット３を検眼テーブルユニット２上で保持する。
【００１４】
なお、視標呈示ユニット３は、保持ユニット１０によって検眼テーブルユニット２に保持される構成に限定されない。例えば、保持ユニット１０が壁掛けタイプの構成を備え、視標呈示ユニット３が壁に設置される構成が挙げられる。
【００１５】
視標呈示ユニット３は、凹面ミラー５０と、視標を表示するディスプレイ４５と、を有する。視標呈示ユニット３は、ディスプレイ４５から出射された視標光束を凹面ミラー５０で反射させて、光学的に所定の遠用検査距離に視標を呈示する。例えば、視標呈示ユニット３は、ディスプレイ４５の画面に対する法線方向を凹面ミラー５０の光軸Ｏ１に対して傾斜させて配置され、視標光束を凹面ミラー５０の光軸Ｏ１に対してずらして入射させる。
【００１６】
例えば、ディスプレイ４５としては、ＬＣＤ（Liquid Crystal Display）や有機ＥＬ（Electro Luminescence）等が用いられる。
【００１７】
例えば、凹面ミラー５０は、被検眼が正面を見るときの正面方向の基準軸Ｌ１上に配置される。例えば、凹面ミラー５０は、筺体５に収納される。
【００１８】
例えば、筺体５は、基準軸Ｌ１で凹面ミラー５０の前面に配置された呈示窓（例えば、透明パネル５２）を有し、測定ユニット８の正面方向に配置されている。透明パネル５２は、ディスプレイ４５からの視標光束を透過し、凹面ミラー５０で反射された視標光束を再び透過して筐体５外に射出する。
【００１９】
このような構成によって、視標呈示ユニット３は、視標光束の光量損失が大きなビームスプリッタを介さずに視標を呈示する構成であるため、大きな光量を発するディスプレイを使用しなくても、視力検査等で必要とされる輝度を確保した検査を的確に行える。また、筺体５はビームスプリッタを有しないため、筐体５の薄型が図られ、より省スペースな検眼装置を実現できる。
【００２０】
以下、各構成の具体的な説明をする。以下の説明では、ディスプレイ４５、透明パネル５２、光路切換ユニット６０、自覚式眼屈折力測定ユニットの順に説明する。なお、以下の構成は、適宜組み合わせが可能であるとともに、独立した構成として実施してもよい。
【００２１】
＜ディスプレイ＞
ディスプレイ４５は、筐体の外部で基準軸Ｌ１外に配置される。また、ディスプレイ４５は、被検眼が測定ユニット８の検査窓８１を覗いたときの所定の視野角の範囲外に配置されている。
【００２２】
例えば、ディスプレイ４５は、筺体５の外部に配置され、且つディスプレイ４５より視標光束を筺体５外部から透明パネル５２を介して凹面ミラー５０に向かわせる位置に配置されている。さらにいうと、例えば、ディスプレイ４５は、測定ユニット８の周辺に配置され、被検眼側より凹面ミラー５０に向けて、視標光束を出射する。また、例えば、ディスプレイ４５は、測定ユニット８の額当て８２の周辺に配置される。さらにいうと、例えば、ディスプレイ４５は、測定ユニット８の額当て８２の上方位置に配置される。
【００２３】
このような、ディスプレイ４５の配置によって被検者に対し広い視野を確保することができる。そして、被検者は透明パネル５２を通して筐体５の内部に遠用視標を観察する際に、保護パネル５１より被検者側に余分な構造物であるディスプレイ４５を見る事がなくなる。これによって、被検者がディスプレイ４５を注視してしまうことが無くなり、遠用検査時に視標以外の構造物を見ることによる被検眼の調節の介入を軽減することができる。そして、精度よく視機能検査を行うことができる。
【００２４】
なお、ディスプレイ４５は、測定ユニット８の検査窓８１を覗いたときの所定の視野角の範囲外に配置されていなくてもよい。例えば、ディスプレイ４５は、筺体５の外部に配置され、且つディスプレイ４５より視標光束を筺体５外部から透明パネル５２を介して凹面ミラー５０に向かわせる位置であって、被検者の額付近に配置されている構成であればよい。このように、ディスプレイ４５を被検者の額付近に配置することにより、視標光束を凹面ミラー５０に向けて出射した際に、凹面ミラー５０への入射角と凹面ミラー５０から反射される際の反射角が小さくしている。このため、視標の歪を小さくすることができる。
【００２５】
＜透明パネル＞
筐体５に設けられた透明パネル５２は、透明パネル５２の前面の法線方向が基準軸Ｌ１に対して傾斜した角度で配置される。なお、透明パネル５２の傾斜角度は、ディスプレイ４５から出射され、透明パネル５２の前面で反射される反射光が所定位置の被検眼から外れる方向に向かうように設定されている。
【００２６】
これによって、透明パネル５２で反射されるディスプレイ４５の強い光が被検眼に入射することによって、被検者の視標観察の妨げとなる問題を軽減することができる。また、被検者の後方の背景の外乱光及び検眼装置１の上方の外乱光が透明パネル５２で反射して被検眼に入射することによって、被検者の視標観察の妨げとなる問題を軽減することができる。
【００２７】
例えば、さらに、筐体５には、凹面ミラー５０の前面側で透明パネル５２の周囲に遮蔽部材（遮蔽部５３）が配置され、遮蔽部５３に囲まれた透明パネル５２が、被検眼が筐体５内部に視標を観察するための呈示窓を構成するようにしてもよい。遮蔽部５３を設けることによって、筺体５の内部構造が見えにくくなる。もちろん、呈示窓には、透明パネル５２のみで構成され、遮蔽部５３が設けられていない構成でもよい。
【００２８】
また、例えば、透明パネル５２からディスプレイ４５までの間の光路の上部を覆う上方遮蔽部材（遮蔽カバー６）を設ける構成としてもよい。また、例えば、透明パネル５２からディスプレイ４５までの間の光路の側方を覆う側方遮蔽部材（遮蔽カバー６）を備える構成としてもよい。これらのような遮蔽部材の構成を設けることによって、蛍光灯等による外乱光が装置内の光学部材に入射することを抑制する効果を備える。
【００２９】
なお、本実施形態では、遮蔽カバー６が上方遮蔽部材と側方遮蔽部材を兼用する構成であるが、それぞれ別部材によって、構成されてもよい。また、本実施例上方遮蔽部材と側方遮蔽部材の一方のみを設ける構成としてもよい。
【００３０】
＜光路切換手段＞
なお、検眼装置１は、遠用検査用光路と，凹面ミラー５０の反射を介さずに被検眼へディスプレイ４５からの視標光束を導光する近用検査用光路と，を切り換える光路切換手段と、ディスプレイ４５の画面の傾斜角度を遠用検査と近用検査とで変更する角度変更手段と、を備える。
【００３１】
角度変更手段は、光路切換手段によって、遠用検査用光路と近用検査用光路とで切り換えた時に、被検眼がディスプレイ４５の画面を見た場合に、基準軸Ｌ１に対して画面が略垂直に位置する画面として観察できるように、ディスプレイ４５の画面の傾斜角度を変更する。
【００３２】
例えば、光路切換手段は、被検眼と凹面ミラー５０と間に挿脱可能な反射部材（反射ミラー）６２を有し、被検眼と凹面ミラー５０との間に反射部材６２を挿脱することにより、遠用検査用光路と近用検査用光路とを切り換える光路切換ユニット６０の構成が挙げられる。例えば、反射部材６２としては、平面ミラー、凸面ミラー、凹面ミラーが挙げられる。この場合、例えば、角度変更手段は、近用検査用光路への切換時には、ディスプレイ４５の画面に対する法線方向と，基準軸Ｌ１が反射部材６２で反射された軸の方向と，が略一致するように、ディスプレイ４５の画面の傾斜角度を変更する。また、遠用検査用光路への切換時には、ディスプレイ４５の画面に対する法線方向と，基準軸Ｌ１が凹面ミラー５０で反射された軸の方向と，が略一致するように、ディスプレイの画面の傾斜角度を変更する。
【００３３】
以上のようにして、光路切換手段は、ディスプレイからの視標光束を反射して被検眼に導光する反射部材を被検眼と凹面ミラーとの間の光路に挿脱させるか、又はディスプレイを被検眼と凹面ミラーとの間の光路に移動する移動手段を備える構成により光路切換を行う。これによって、遠用検査光路と近用検査用の光路との切り換えが容易に可能となる。また、光路の切り換えに伴って、ディスプレイ４５の傾斜角度が変更されるため、光路の切り換えを行った場合であっても、歪みの軽減された視標を被検眼に投影することができる。これによって、視標を表示するディスプレイを使用した構成で、的確な検査が行うための視標呈示が行える。
【００３４】
また、変容例として、例えば、光路切換手段６０が、反射部材の傾斜角度を変更するための反射部材用傾斜角度変更手段を備える構成が挙げられる。この場合、光路切換手段６０は、被検眼と凹面ミラー５０と間に反射部材６２を挿入した状態で、反射部材６２を基準軸Ｌ１上で移動させ、且つ、反射部材用傾斜角度変更手段によって、反射部材６２の傾斜角度を変更し、近用検査用光路の近用検査距離を変化させる。また、角度変更手段は、ディスプレイ４５の画面に対する法線方向と，基準軸Ｌ１が反射部材６２で反射された軸の方向と，が略一致するように、ディスプレイ４５の画面の傾斜角度を変更する。これによって、遠用検査及び近用検査のみならず、中距離用の検査も可能である。
【００３５】
また、例えば、検眼装置１の変容例として、被検眼の額付近に配置された光路変更ミラー（反射ミラー）１２３を備え、遠用検査用光路が、ディスプレイ１２０が凹面ミラー５０側に配置され、ディスプレイ１２０からの視標光束を光路変更ミラー１２３で反射させて凹面ミラー５０に向かわせるように構成が挙げられる。この場合、光路切換手段は、ディスプレイ１２０を被検眼と凹面ミラー５０との間の光路に挿脱することによって、遠用検査用光路と，近用検査用光路と，を切り換える構成が挙げられる。また、この場合、角度変更手段は、基準軸Ｌ１に対して、ディスプレイ１２０の画面が略垂直な関係となるように、ディスプレイ１２０の傾斜角度を変更する。
【００３６】
＜自覚式眼屈折力測定ユニット＞
測定ユニット８は、視機能検査に使用するか否かに応じて、被検眼の眼前の検査位置と、退避位置と、で移動される。
【００３７】
例えば、保持ユニット１０には、支持手段（例えば、支持アーム２０）が設けられている。支持手段は、測定ユニット８を被検眼の眼前の検査位置と、退避位置と、の間で移動可能に支持する。
【００３８】
例えば、保持ユニット１０は、第１保持部材（支柱）１０ａ、支柱１０ａから延びた第２保持部材（上部支柱）１０ｂ、とで構成される。支柱１０ａは、検査位置に置かれた測定ユニット８に対して、所定距離離れた位置に筐体５を保持する。上部支柱１０ｂは、支柱１０ａから延びており、ディスプレイ４５を保持するために筐体５の上方から被検者側に延びた構成となっている。そして、支持手段は、上部支柱１０ｂに連結されている。
【００３９】
例えば、測定ユニット８を検査位置と、退避位置と、の間で移動可能に支持するための、支持手段は、支持アーム２０、支持部材（例えば、支柱）を用いるものが挙げられる。
【００４０】
例えば、支持手段に支持アーム２０を用いる場合、支持アーム２０が上部支柱１０ｂに連結され、連結位置Ｏを中心に旋回可能な構成が挙げられる。そして、支持アーム２０は、支持アーム２０の回旋によって、測定ユニット８を検査位置と退避位置との間で移動可能に支持する。これによって、装置のコンパクト化に繋がり、より省スペース化をはかることができる。
【００４１】
なお、本実施形態において、例えば、連結位置Ｏは検眼装置１の中心軸Ｃ上から紙面に対して上下方向にずらした位置で連結されるとよりよい。このように、連結位置Ｏを検眼装置１の中心軸Ｃからずらした位置で連結することによって、より小さな可動範囲にて、測定ユニット８を移動させることが可能となる。これによって、測定ユニット８を移動させる際に、可動範囲が小さいため、検者に接触する可能性が少なくなる。
【００４２】
また、支持部材を用いる場合、支持部材は上下移動手段（例えば、周知のテレスコピックパイプ機構）を備えた支持部材であって、上部支柱１０ｂに取り付けられる。測定ユニット８を検査位置より上方の退避位置に移動させる構成によって、測定ユニット８を検査位置と退避位置との間で移動可能にする。これによって、測定ユニット８を移動させる際に、測定ユニット８が検者の顔を横切らなくなるため、検者に接触する可能性を少なくできる。
【００４３】
なお、本実施形態においては、測定ユニット８と連結した支持手段が保持ユニット１０を介して視標呈示ユニット３に設けられる構成としたがこれに限定されない。例えば、保持ユニット１０を介すことなく、支持手段が視標呈示手段３に連結される構成としてもよい。
【００４４】
＜実施例＞
以下、本発明の形態を図面に基づいて説明する。図１は本発明に係る検眼装置の外観図を示している。図２は、検眼装置１を図１上のＸ方向から観察した検眼装置１の正面図を示している。なお、図２の検眼装置の正面図は、自覚式眼屈折力測定ユニット８を退避位置に配置した場合の検眼装置１を示している（詳細は後述する）。図３は、検眼装置１を図２のＡ−Ａ面で切断した際の装置の断面図を示している。なお、図３では、測定ユニット８については省略されている。
【００４５】
検眼装置１は、検眼テーブルユニット２と、視標呈示ユニット３と、自覚式眼屈折力測定ユニット８（以下、測定ユニット８と略す）と、を備える。検眼テーブルユニット２は、テーブル２ａと、テーブル２ａを上下移動するための上下駆動ユニット２ｂと、テーブル２ａの上下移動の指示信号を入力する高さ調節スイッチ２ｃと、を備える。上下駆動ユニット２ｂはモータ等の駆動源を備え、駆動源がスイッチ２ｃから入力される指示信号によって駆動される。
【００４６】
視標呈示ユニット３は、視標を表示するディスプレイ４５を有する視標表示部４と、凹面ミラー５０が収納された筺体５と、外観カバー（遮蔽カバー）６と、後述する光路切換ユニット６０と、を備える。視標呈示ユニット３は、テーブル２ａに立設した支柱を有する保持ユニット１０によって保持されている。好ましい保持ユニット１０の例として、テーブル２ａの端に立設した第１保持部材（支柱）１０ａに筺体５が取り付けられ、保持されている。保持ユニット１０は、支柱１０ａから延びており、ディスプレイ４５を保持するために筐体５の上方から被検者側（筺体５の前側）に延びた第２保持部材（上部支柱）１０ｂを有し、上部支柱１０ｂの前方部分に視標表示部４が取り付けられている。
【００４７】
また、測定ユニット８は測定位置と退避位置との間で移動可能に保持ユニット１０に保持されている。好ましい例として、測定ユニット８は、支持部材（例えば、支持アーム）２０を介して測定位置と退避位置との間で移動可能に上部支柱１０ｂに支持されている。視標呈示ユニット３、検眼テーブルユニット２及び測定ユニット８は、一体型の検眼装置１を構成する。しかし、検眼装置１は、測定ユニット８を備えない構成とされても良い。
【００４８】
測定ユニット８は、被検眼に屈折力を付与する種々の光学素子（球面レンズ、円柱レンズ、補助レンズ等）が左右の検査窓８１に切換え配置される左右一対のレンズ室ユニット８０を備える。また、測定ユニット８は、検査窓８１に対して被検眼を所定の位置関係にするための額当て８２を備える。図１に示されるように、測定ユニット８が測定位置に位置するとき、凹面ミラー５０によって視標が呈示される所定の基準軸Ｌ１の高さに検査窓８１が位置するように設定されている。
【００４９】
視標呈示ユニット３は、筺体５の外部に配置されたディスプレイ４５からの視標光束を凹面ミラー５０で反射させて被検眼に向かわせ、光学的に所定の遠用検査距離（例えば、５ｍの検査距離）で視標を呈示する。また、視標呈示ユニット３は、凹面ミラー５０と被検眼との間に反射ミラー６２が挿入されることにより、ディスプレイ４５からの視標光束を反射部材６２で反射させて被検眼に向かわせ、所定の近用検査距離（例えば、４０ｃｍ）で視標を呈示する近用視標呈示ユニットに切換えられる。視標呈示ユニット３は、視標光束の光量損失が大きなビームスプリッタを介さずに視標を呈示する構成であるため、大きな光量を発するディスプレイを使用しなくても、視力検査等で必要とされる輝度を確保した検査を的確に行える。また、筺体５はビームスプリッタを有しないため、筐体５の薄型が図られ、より省スペースな検眼装置を実現できる。
【００５０】
＜視標表示部＞
図３において、視標表示部４は、支持部４１、視標を表示するディスプレイ４５、を備える。ディスプレイ４５は、支持部４１によって支持されている。支持部４１は、後述するシャフト（回転軸）４２を介して、ベース６５に保持される。ベース６５は、保持ユニット１０に支持される。これによって、視標表示部４は、保持ユニット１０によって支持される。ディスプレイ４５には、ランドルト環視標等の検査視標が表示される。例えば、ディスプレイ４５としては、ＬＣＤ（Liquid Crystal Display）や有機ＥＬ（Electro Luminescence）等が用いられる。本実施例においては、ディスプレイ４５として、ＬＣＤを用いた場合を例に挙げて、以下の説明を行う。
【００５１】
図４は、視標表示部４の正面図を示している。ディスプレイ４５は、支持部４１に支持されており、支持部４１には、図示無きディスプレイ４５の基板等が配置される。支持部４１の表面には、基板等の部材を覆うためのマスク板（カバー）４９が設けられている。マスク板４９はディスプレイ４５の画面の周囲に配置され、ディスプレイ４５の周囲の余分な物体が被検眼に見えてしまうことを防止する機能を持つ。マスク板４９は、例えば、黒色のアクリル樹脂や黒い塗装が塗布された鉄板等で形成される。これによって、被検眼に呈示される視標の画面以外に、ディスプレイ４５の周辺の基板等の写り込みを防止する。また、黒色のマスク板４９を用いることによって、投影される視標の背景を黒色とすることができ、視標が確認しやすくなる。もちろん、マスク板４９は、黒色でなくてもよい。
【００５２】
図５は、ディスプレイ４５の配置位置について説明する図である。ディスプレイ４５は、被検者が測定ユニット８の検眼窓８１を覗き込んで視標を観察した際に、検査窓８１からの所定の視野角α１の範囲外になるように配置される。すなわち、視野角α１は、被検眼が測定ユニット８の検査窓８１を介して正面を見る際の基準軸Ｌ１を中心にした視野角であり、測定ユニット８において被検眼より遠い側に設けられた検査窓８１の開口の大きさによって設計的に決定される。測定ユニット８の視野角α１は、例えば、基準軸Ｌ１を中心に４０度に設定されている。なお、基準軸Ｌ１の上下位置は、測定ユニット８の検眼窓８１の測定光軸（検眼窓８１に配置される球面レンズの光軸）と略同一の位置である。また、基準軸Ｌ１の左右位置は、左右の検眼窓８１の左右中央位置と略同一の位置である。所定位置に置かれる被検眼の正面方向の基準軸Ｌ１上に凹面ミラー５０が配置されている。
【００５３】
凹面ミラー５０は、基準軸Ｌ１外に配置されたディスプレイ４５からの視標光束を被検眼に向けて反射するために、凹面ミラー５０の光軸Ｏ１（凹面ミラ−５０の曲面の法線方向）が基準軸Ｌ１に対して傾斜して配置されている。そして、凹面ミラー５０における基準軸Ｌ１の反射軸である軸Ｌ２上にディスプレイ４５が配置されている。ディスプレイ４５の画面に垂直な軸（法線方向）が軸Ｌ２の方向となるように、基準軸Ｌ１に対するディスプレイ４５の画面の傾斜角が設定されている。これにより、被検眼が凹面ミラー５０で反射されるディスプレイ４５の画面を見たときに、その画面を基準軸Ｌ１に対して垂直に位置する画面として見ることができる。
【００５４】
本実施例において、ディスプレイ４５の上下位置は、視野角α１の範囲外で、且つ基準軸Ｌ１にできるだけ近い位置に配置されている。例えば、ディスプレイ４５は、検査窓８１より上方位置で、測定ユニット８の額当て８２（すなわち、被検者の額）の付近に配置され、被検眼側から凹面ミラー５０に向けて視標光束を出射する。なお、ディスプレイ４５の左右方向の配置位置は、被検者が凹面ミラー５０と正対するときの中央位置である。
【００５５】
なお、本実施例においては、基準軸Ｌ１に対する凹面ミラー５０の光軸Ｏ１の傾斜角度は、５°となっている。すなわち、ディスプレイ４５より出射された視標光束が凹面ミラー５０によって反射され、被検眼に導光される際の反射角は５°となっている。また、光軸Ｏ１に対するディスプレイ４５の軸Ｌ２の傾斜角度は、５°となっている。すなわち、ディスプレイ４５より出射された視標光束が凹面ミラー５０に入射される際の入射角は５°となっている。
【００５６】
以上のような構成となるように、ディスプレイ４５の傾斜角度及び凹面ミラー５０の傾斜角度が設定されている。このような構成とすることによって、被検眼に呈示される視標の歪の発生を抑制することができる。また、本実施例では、上記で説明したように、ディスプレイ４５を被検者の額付近に配置することにより、視標光束を凹面ミラー５０に向けて出射した際に、凹面ミラー５０への入射角と凹面ミラー５０から反射される際の反射角が小さくしている。このため、視標の歪を小さくすることができる。このように、視標を表示するディスプレイを使用した構成で、省スペース化を図りつつ、的確な検査を行うための視標呈示が行える。
【００５７】
なお、本実施例においては、入射角５°、反射角５°という構成としたがこれに限定されない。視標の歪の発生が少ない入射角及び反射角にて構成すればよい。
【００５８】
また、本実施例において、ディスプレイ４５の下部に僅かな遮蔽壁６９が設けられている。これによって、例えば、暗室等で本装置を使用する際のディスプレイ４５から直接、被検眼に入射される光束を効率的に除去することができる。なお、本実施例においては、遮蔽壁６９は、遮蔽カバー６の一部として構成されている。遮蔽カバー６がディスプレイ４５の下部に突出しており、遮蔽壁６９の役割を成している。
【００５９】
このようなディスプレイ４５の配置によって被検者に対し広い視野を確保することができる。そして、被検者は視標呈示窓（透明パネル５２）を通して筐体５の内部に遠用視標を観察する際に、保護パネル５１より被検者側に余分な構造物であるディスプレイ４５を見る事がなくなる。これによって、被検者がディスプレイ４５を注視してしまうことが無くなり、遠用検査時に視標以外の構造物を見ることによる被検眼の調節の介入を軽減することができる。そして、精度よく視機能検査を行うことができる。
【００６０】
なお、本実施例の検査窓８１の視野角は、約４０°であるがこれに限定されない。タイプの異なる測定ユニット８を用いる場合では、検査窓８１のサイズや形状は多様であり、各タイプの測定ユニット８の検査窓８１からの視野角は異なる。また、視野角は、被検眼から測定ユニット８の検査窓８１までの距離によっても変化する。これらのことから、視野角に応じて、ディスプレイ４５の配置位置を微調整するとよりよい。なお、本実施例においては、額当て８２に被検者の額を当てることによって、被検眼から測定ユニット８の検査窓８１までの距離を一定としている。
【００６１】
＜光路切換ユニット＞
光路切換ユニット６０は、支持部６１、反射ミラー（例えば、平面ミラー）６２、つまみ６３を備える。光路切換ユニット６０は、反射ミラー６１を被検眼が正面を見る際の基準軸Ｌ１上に挿脱する構成によって、遠用検査用の光路と近用検査用の光路とを切り換える（詳細は後述する）。
【００６２】
＜筺体＞
図６は、筺体５の概略構成図を示している。図６（ａ）は、各部材の光学配置について説明する図である。図６（ｂ）は、保護カバー５１による表面反射について説明する図である。筺体５は、凹面ミラー５０を収納するケースである。筺体５は、凹面ミラー５０の前側（反射面側）に配置された保護パネル５１を有する。保護パネル５１は、アクリル樹脂やガラス板等の透明部材で構成された透明パネル５２と、透明パネル５２の周囲に配置された遮蔽部５３と、を備える。透明パネル５２は、筺体５の外部に配置された視標表示部４（ディスプレイ４５）からの視標光束を通過し、凹面ミラ−５０で反射された視標光束を通過させて、筐体５の外部に出射する（取り出す）。
【００６３】
なお、筺体５としては、収納するケースに限定されない。筺体５は、少なくとも凹面ミラー５０の反射面が埃や外部からの接触から保護される構成であればよく、ケース状の構成でなくともよい。例えば、凹面ミラー５０の一部を覆わない筺体であってもよい。この場合、凹面ミラー５０の裏面が覆われていない構成が挙げられる。凹面ミラー５０は、少なくとも凹面ミラー５０の周囲のいずれかの位置にて、筺体によって保持され、凹面ミラー５０の前側には、保護パネルが配置される。また、保持ユニット１０によって、筺体５が構成される構成であってもよい。
【００６４】
透明パネル５２は、被検者が筐体５の内部に視標を観察するときの視標呈示窓の役目を果たす。被検者は、視標窓の透明パネル５２を介して中央に視標を見る。遮蔽部５３は、例えば、その裏面（筺体内部）側に黒色の塗装や黒色のフィルタが貼られている。また、筺体５の内部は黒色に塗装されており、内部構造が見えにくくしている。保護パネル５１を有する筐体５によって、高精度で構成された凹面ミラー５０に埃が付着したり、傷付が付いたりすることから保護される。凹面ミラー５０は、被検眼が正面を見る際の基準軸Ｌ１上に配置される。凹面ミラー５０は、凹面ミラーの光軸Ｏ１が基準軸Ｌ１に対して、傾斜して配置され、ディスプレイ４５と被検眼の光学距離を５ｍの検査距離にするようにその焦点距離が設計されている。
【００６５】
ここで、透明パネル５２は、基準軸Ｌ１に対する透明パネル５２面の法線（法線方向）Ｌ３の傾斜角度θが所定の角度（例えば、１０°以上）となるように、傾斜して配置されている。角度θは、視標表示部４（ディスプレイ４５）からの光が透明パネル５２の表面で反射されたときに、その反射光が被検眼から外れた方向に向かうような角度に設定されている。特に、ディスプレイ４５は強い光を発するため、透明パネル５２で反射されるディスプレイ４５の光が被検眼に入射すると、その反射光は凹面ミラー５０を介して呈示される視標観察の妨げとなる。また、被検者の後方の背景の外乱光及び装置１の上方の外乱光が透明パネル５２で反射して被検眼に入射する場合も、被検者の視標観察の妨げとなる。本装置では、上記のような角度θの設定により、これらの問題を軽減でき、視標を表示するディスプレイを使用した構成で、省スペース化を図りつつ、的確な検査が行うための視標呈示が行える。
【００６６】
＜遮蔽カバー＞
また、視標呈示ユニット３が有する光学部材（ディスプレイ４５、反射ミラー６２、保護パネル５１及び凹面ミラー５０）への外乱光の入射を抑制するために、遮蔽カバー６は、保持ユニット１０の上部支柱１０ｂの上方位置及び側方位置に配置される。遮蔽カバー６は、装置の上方及び基準軸Ｌ１より上側の側方を覆うことによって、蛍光灯等による外乱光が装置内の光学部材に入射することを抑制する効果を備える。なお、本実施例においては、遮蔽カバー６が上方位置及び側方位置に配置される構成としたがこれに限定されない。遮蔽カバー６は、好ましくは上方位置に配置される構成であってもよい。また、側方位置の遮蔽カバー６がない構成であってもよい。
【００６７】
＜自覚式眼屈折力測定ユニットの移動機構＞
測定ユニット８は、支持アーム２０によって測定ユニット８の検査窓８１が成す面の中心軸上の上方位置で保持ユニット１０に支持される。もちろん、支持アーム２０が支持する位置は、検査窓８１が成す面の中心軸上の上方位置に限定されない。測定ユニット８のいずれかの位置で支持アームによって、支持される構成であればよい。
【００６８】
また、支持アーム２０は、回動自在（回旋自在）に、保持ユニット１０に連結される。これによって、支持アーム２０に支持される測定ユニット８が保持ユニット１０に対して、回動自在に構成される。検者は、測定ユニット８を被検眼の眼前の検査位置に配置する。被検者は、測定ユニット８の額当て８２に額を合わせることによって、一定の位置に被検眼を位置させる。そして、この状態で、測定ユニット８の検眼窓８１を通して、視標を観察し、視機能の検査を行う。
【００６９】
また、測定ユニット８は、支持アーム２０によって、保持ユニット１０に対して、回動自在に構成されている。図７は、測定ユニット８の退避手段について説明する図である。図７（ａ）は、測定ユニット８を検査位置（測定位置）に配置した場合の装置の正面図と、装置をＦ方向から見た場合の平面図と、を示している。図７（ｂ）は、測定ユニット８を退避位置に配置した場合の装置の正面図と、装置をＦ方向から見た場合の平面図と、を示している。
【００７０】
測定ユニット８を検査位置と退避位置との間で移動させる場合、測定ユニット８は、支持アーム２０と保持ユニット１０との連結位置Ｏを中心して、円弧上に回旋移動させる。すなわち、測定ユニット８を支持アームの連結位置Ｏを中心に、回旋移動させることによって、測定ユニット８が基準軸Ｌ１（凹面ミラー５０）に対して、測定ユニット８を検査位置と退避位置との移動がされる。
【００７１】
ここで、例えば、連結位置Ｏを中心軸Ｃ上に位置した場合、測定ユニット８を移動させる際に、遮蔽カバー６や保持ユニット１０と干渉しないように、測定ユニット８と遮蔽カバー６又は保持ユニット１０との距離を長くする必要がある。すなわち、干渉を回避するために、円弧移動をする際の可動範囲を大きくする必要があるため、支持アーム２０の長さＷをより長くしなればいけない。
【００７２】
本実施例において、図７の平面図において、連結位置Ｏは、装置の中心軸Ｃ上から紙面に対して上下方向にずらした位置で連結される。このように、連結位置Ｏを装置の中心軸Ｃからずらした位置で連結することによって、より小さな可動範囲にて、測定ユニット８を移動させることが可能となる。すなわち、支持アームＷの長さを短くし、測定ユニット８の可動範囲を小さくしても、遮蔽カバー６や保持ユニット１０と干渉が生じなくなる。
【００７３】
例えば、平面図上において、連結位置Ｏを中心軸Ｃよりも上方向（正面図の紙面に対して左方向）位置させた場合、測定ユニット８を被検眼の左方向へ移動させる場合には、その回旋移動の可動範囲は小さくなる。また、平面図上において、連結位置Ｏを中心軸Ｃよりも下方向（正面図の紙面に対して右方向）位置させた場合、測定ユニット８を被検眼の右方向へ移動させる場合には、その回旋移動の可動範囲は小さくなる。
【００７４】
以上のように、測定ユニット８を視標呈示ユニット３に一体的に連結し、連結位置Ｏは、装置の中心軸Ｃ上からずらすことによって、より小さい可動範囲で測定ユニット８を退避できる。これによって、装置のコンパクト化に繋がり、より省スペース化をはかることができる。また、測定ユニット８を移動させる際に、可動範囲が小さいため、検者に接触する可能性が少なくなる。
【００７５】
なお、本実施例においては、上部支柱１０ｂに連結された支持アーム２０が連結位置を中心に回旋（旋回）可能な構成とし、支持アーム２０の回旋移動によって、測定ユニット８を検査位置と退避位置とで移動する構成としたがこれに限定されない。保持ユニット１０の上部支柱１０ｂに上下移動手段を取り付け、測定ユニット８を検査位置より上方の退避位置に移動させる構成としてもよい。例えば、測定ユニット８は、周知のテレスコピックパイプ機構により伸縮自在に、保持ユニット１０に連結される。そして、測定ユニット８を上下方向に移動させることによって、測定ユニット８を退避させる。これによって、測定ユニット８を移動させる際に、測定ユニット８が検者の顔を横切らなくなるため、検者に接触する可能性を少なくできる。なお、測定ユニット８を上下移動によって退避させた場合、被検眼の視野内に測定ユニット８が入らないようにするとよりよい。
【００７６】
また、支持アーム２０に対して、測定ユニット８が上下動可能な構成を設け、測定ユニット８が上下移動されるようにしてもよい。もちろん、上下移動と回旋移動が組み合わされて退避手段が構成されてもよい。
【００７７】
＜制御部＞
図８は、検眼装置の制御ブロック図である。制御部７０には、測定ユニット８、ディスプレイ４５、コントローラ９０、メモリ７２、等が接続されている。メモリ７２には、ランドルト環視標等の検査視標のデータが多数記憶されている。例えば、視力値０．１〜２．０の視標データ記憶されている。制御部７０は、コントローラ９０からの入力信号に応じて、メモリ７２から該当する視標データを呼び出し、ディスプレイ４５の表示を制御して、ディスプレイの画面上に視標を表示させる。なお、本実施例において、コントローラ９０からの信号は、図示無きケーブルを介して、制御部７０に入力されるが、赤外線等の無線通信により信号が入力される構成としてもよい。
【００７８】
＜光路切換＞
本装置には、視標呈示ユニット３の視標呈示において、遠用検査用光路と近用検査用光路との切り換えるための光路切換ユニット６０が設けられている。以下、光路切換について説明する。図９は、遠用検査用光路と近用検査用光路との切り換えについて説明する図である。図９（ａ）は、遠用検査用光路を示している。図９（ｂ）は、近用検査用光路を示している。なお、図９において測定ユニット８は省略している。
【００７９】
遠用検査用光路にて、視機能検査を行う場合、ディスプレイ４５より視標光束を凹面ミラー５０に向けて出射し、凹面ミラー５０によって反射された視標光束を被検眼に呈示させる。被検者は、呈示された視標を観察して、遠用の視機能検査を行う。
【００８０】
近用検査用光路にて、視機能検査を行う場合、反射ミラー６２を被検眼と凹面ミラー５０との間の基準軸Ｌ１上に配置する。また、ディスプレイ４５の画面に対する法線方向と、基準軸Ｌ１が反射ミラー６２で反射された軸Ｌ４の方向と，が略一致するように、ディスプレイ４５の画面の傾斜角度を変更する。
【００８１】
そして、ディスプレイ４５より出射された視標光束は、凹面ミラー５０を介さずに、基準軸Ｌ１に沿って被検眼に導光される。視標光束が凹面ミラー５０を介さずに、被検眼に導光されることによって、検査距離が近距離（例えば、４０ｃｍ）となる。
【００８２】
なお、遠用検査用光路への切換時には、ディスプレイ４５の画面に対する法線方向と、基準軸Ｌ１が凹面ミラー５０で反射された軸Ｌ２の方向とが略一致するように、ディスプレイ４５の画面の傾斜角度を変更する。
【００８３】
以下、光路を切り換えるための装置構成について説明する。図１０は、視標表示部４及び光路切換ユニット６０部分における概略構成図を示す図である。図１０（ａ）は、遠用検査用光路時の視標表示部４及び光路切換ユニット６０部分を示している。図１０（ｂ）は、近用検査用光路時の視標表示部４及び光路切換ユニット６０部分を示している。
【００８４】
視標表示部４は、ディスプレイ４５の傾斜角度を変更するための構成として、シャフト４２、回転制限部（突起部４４ａ、ストッパー４４ｂ）４４、ディスプレイ４５、突起部４６、バネ４７、を備える。視標表示部４の各部材は、ベース６５に保持される。ディスプレイ４５は、支持部４１を介して、シャフト４２に連結される。シャフト４２は、その軸回りに回転可能にベース６５に保持される。これによって、保持ユニット１０に対して、ディスプレイ４５の傾斜角度が変更可能となる。
【００８５】
また、シャフト４２にはバネ４７が連結され、シャフト４２は、バネ４７のバネ力により上方向の力を受ける。このバネ力は、シャフト４２を、常時、Ｂ１方向（図９参照）へ回転させる力（ディスプレイ４５を傾斜させる力）として働く。このとき、回転制限部４４によって、回転量が制限される。すなわち、ディスプレイ４５の傾斜角度が回転制限部４４によって、所定の角度で制限される。回転制限部４４は、突起部４４ａ、ストッパー４４ｂで構成される。突起部４４ａはシャフト４２に設けられる。ストッパー４４ｂは、ベース６５に保持される。シャフト４２が所定量回転すると、シャフト４２に設けられた突起部４４ａがストッパー４４ｂに嵌り込み、シャフト４２の回転を停止させる。これによって、ディスプレイ４５が所定の傾斜角度（近用検査用のＬＣＤ傾斜角度）まで角度変更が可能となる（図１０（ａ）、（ｂ）参照）。なお、遠用検査を行う際には、反射ミラー６２の支持部６１によって、ディスプレイ４５の支持部４１に設けられた突起部４６がＢ２方向に押圧され、ディスプレイ４５の傾斜角度の変更が抑制されている（図１０（ａ）参照）。
【００８６】
光路切換ユニット６０は、支持部６１、反射ミラー（例えば、平面ミラー）６２、つまみ６３、シャフト（回転軸）６６、回転制限部（突起部６７ａ、ストッパー６７ｂ）６７、磁石６８、を備える。光路切換ユニット６０の各部材は、視標表示部４と同様にして、ベース６５を介して、保持ユニット１０によって支持される。
【００８７】
反射ミラー６２は、支持部６１を介して、シャフト６６に連結される。シャフト６６は、その軸回りに回転可能にベース６５に保持される。これによって、保持ユニット１０に対して、支持部６１の傾斜角度が変更可能となり、反射ミラー６２の光路Ｌ１への挿脱が可能となる。このとき、傾斜角度の変更量は、視標表示部４と同様にして、回転制限部６７（突起部６７ａ、ストッパー６７ｂ）によって、制限される。すなわち、回転制限部６７によって、反射ミラー６２の挿入位置が設定される。
【００８８】
また、反射ミラー６２には、つまみ６３が連結されており、検者は、つまみ６３を操作して、反射ミラー６２の挿脱を行う。遠用検査時には、反射ミラー６２は、磁石６８の磁力によって、視標表示部４の光路から退避した退避位置に保持されている（図１０（ａ）参照）。なお、磁石６８による磁力は、視標表示部４のディスプレイ４５の傾斜角度を変更させるためのバネ４７のバネ力よりも強い力である。このため、磁石６８は、反射ミラー６２を退避位置に保持するとともに、突起部４６を介して、支持部４１を押圧し、ディスプレイ４５を遠用検査時の傾斜角度（配置位置）に保持している。検者によって、つまみ６３が操作され、反射ミラー６２が挿入されると、突起部４６を押圧していた磁石６８の磁力が無くなる。これによって、バネ４７のバネ力によって、ディスプレイ４５の基準軸Ｌ１に対する傾斜角度が変更される（図１０（ｂ）参照）。ディスプレイ４５の傾斜角度は、被検眼が基準軸Ｌ１方向で反射ミラー６２によって反射されるディスプレイ４５の画面を見たときに、その画面（虚像の画面）が基準軸Ｌ１に対して垂直な画面として見えるような角度に設定されている。なお、近用検査用光路から遠用検査用光路へ切り換える場合、検者はつまみ６３を持ち上げ、退避位置まで反射ミラー６２を移動させる。
【００８９】
なお、本実施例においては、磁石６８を用いて、反射ミラー６２を退避位置に保持する構成としたがこれに限定されない。反射ミラー６２を退避位置にて保持可能な構成であればよい。例えば、ラッチ等を用いる構成としてもよい。
【００９０】
以上のようにして、遠用検査光路と近用検査用の光路との切り換えが容易に可能となる。また、光路の切り換えに伴って、ディスプレイ４５の傾斜角度が変更されるため、光路の切り換えを行った場合であっても、歪みの軽減された視標を被検眼に投影することができる。これによって、視標を表示するディスプレイを使用した構成で、的確な検査が行うための視標呈示が行える。
【００９１】
視標呈示による検査を簡単に説明する。検者は、測定ユニット８の額当て８２に被検者の額を当てるように指示する。そして、額当て８２と額を合わせることによって、一定の位置に被検眼を位置させる。遠用検査時には、反射ミラー６２が基準軸Ｌ１から外された状態で、被検眼が正面を見る際の基準軸Ｌ１上に、凹面ミラー５０を介して視標を呈示し、被検者に測定ユニット８の検眼窓８１を通して、呈示される視標を観察させ、視機能の検査を行う。制御部７０は、コントローラ９０によって入力される遠用視標の選択信号に基づいてディスプレイ４５の表示を制御し、遠用視標をディスプレイ４５に表示させる。
【００９２】
近用検査時には、上記のように反射ミラー６２を基準軸Ｌ１に挿入すると共にディスプレイ４５の角度を変更する。制御部７０は、コントローラ９０によって入力される近用視標の選択信号に基づいてディスプレイ４５の表示を制御し、近用視標をディスプレイ４５に表示させる。
【００９３】
＜変容例＞
なお、本実施例の光路切換ユニット６０においては、つまみ６３を設け、手動にて光路の切り換えを行う構成としたがこれに限定されない。例えば、反射ミラー６２を挿脱するための駆動機構を設け、遠用検査又は近用検査のモードを切り換えることによって、反射ミラー６２の駆動機構が制御され、光路の切り換えが行われる構成としてもよい。
【００９４】
なお、本実施例においては、被検者の額付近（測定ユニット８の額当て８２の付近）にディスプレイ４５を配置し、反射ミラー６２の挿脱によって、遠用検査用と近用検査用の光路が切り換えられる構成としたがこれに限定されない。例えば、図１１に示すように、被検者の額付近に光路変更用の反射ミラー１２３を配置し、凹面ミラー５０側に視標を表示するディスプレイ１２０を配置する構成で、遠用検査用の光路を構成しても良い。反射ミラー１２３の配置条件は図５に図示されたディスプレイ４５の例と同じとされる。
【００９５】
このような構成の装置の場合に、ディスプレイ１２０を挿脱することによって光路の切り換えを行う構成としてもよい。この場合、遠用検査時には、ディスプレイ１２０より出射された視標光束が反射ミラー１２３によって反射され、筐体５に配置された透明パネル５２を通過し、凹面ミラー５０へ向かう。凹面ミラー５０で反射された視標光束は、透明パネル５２を再び通過し、基準軸Ｌ１方向に位置する被検眼へ導光される。なお、透明パネル５２の傾斜角度は前述と同じ条件である。
【００９６】
近用検査の場合、ディスプレイ１２０を被検眼と凹面ミラー５０との間の光路で、基準軸Ｌ１上に挿入し、被検眼からディスプレイ１２０の表示が直接観察される構成とする。また、ディスプレイ１２０の挿入とともに、図示無き傾斜角度変更手段によって、ディスプレイ１２０の傾斜角度を近用検査用の傾斜角度に変更する。近用検査用の傾斜角度は、ディスプレイ１２０の画面が基準軸Ｌ１に対して垂直となる角度である。このようにして、光路を切り換える。なお、遠用検査時のディスプレイ１２０の傾斜角度は、基準軸Ｌ１方向に観察されるディスプレイ１２０の画面（虚像の画面）が基準軸Ｌ１に対して垂直な状態で位置するように、反射ミラー１２３及び凹面ミラー５０の傾きに応じて設定されている。
【００９７】
なお、本実施例のさらなる変容例として、図９（ｂ）に示された反射ミラー６２を基準軸Ｌ１に沿って移動させる構成とすることによって、検査距離を近距離から中距離へ連続的に可変することができる。例えば、反射ミラー６２を基準軸に沿って移動させるとともに、ディスプレイ４５の傾斜角度を反射ミラー６２の移動後の各位置に対応した傾斜角度に変更することによって、遠用検査及び近用検査のみならず、中距離用の検査も可能である。
【００９８】
なお、本実施例においては、ディスプレイ４５の傾斜角度を変更することによって、被検眼に投影される視標の歪を軽減する構成としたが、これに限定されない。画像処理によって、歪を軽減するような構成としてもよい。例えば、ディスプレイ４５に表示する視標の形状の歪を考慮して表示する。すなわち、予め、各光路に対応した歪の発生量を算出しておき、その発生量を考慮して、表示する視標を記憶させておく。このようにして、歪の軽減された視標が被検眼に投影される。
【００９９】
なお、本実施例において、光路切り換え用の部材として、平面鏡である反射ミラー６２を用いたがこれに限定されない。光路切り換え用の部材としては、反射部材であればよい。例えば、凹面ミラー、凸面ミラー等が挙げられる。凸面ミラーを用いる場合、光路が短くされるため、近用検査を行うための距離（例えば、４０ｃｍ）にするために、凹面ミラー５０の直前に挿入するとよい。
【０１００】
なお、上記構成において、凹面ミラー５０の曲面形状（倍率）に応じて、視標光束の凹面ミラー５０への入射角と凹面ミラー５０から反射される際の反射角を調整するとよりよい。凹面ミラー５０の倍率が変更されることによって、歪の発生する入射角及び反射角も変化する。例えば、本実施例の凹面ミラーよりも倍率の高い凹面ミラーを用いる場合には、入射角と反射角がより鋭角となるように調整する必要がある。
【０１０１】
なお、凹面ミラー５０は、球面に限定されない。例えば、非球面ミラー、自由曲面のミラー等を用いる構成としてもよい。
【図面の簡単な説明】
【０１０２】
【図１】本発明に係る検眼装置の外観図を示している。
【図２】検眼装置の正面図を示している。
【図３】検眼装置の断面図を示している。
【図４】視標表示部の正面図を示している。
【図５】ディスプレイの配置位置について説明する図である。
【図６】筺体の概略構成図を示している。
【図７】測定ユニットの退避手段について説明する図である。
【図８】検眼装置の制御ブロック図である。
【図９】遠用検査用光路と近用検査用光路との切り換えについて説明する図である。
【図１０】視標表示部及び光路切換ユニット部分における概略構成図を示す図である。
【図１１】検眼装置の変容例を示す図である。
【符号の説明】
【０１０３】
２  検眼テーブルユニット
３  視標呈示ユニット
４  視標表示部
５  筺体
６  外観カバー
８  自覚式眼屈折力測定ユニット
１０  保持ユニット
２０  支持アーム
４５  ディスプレイ
５０  凹面ミラー
５１  保護カバー
５２  透明パネル
５３  遮蔽部
６０  光路切換ユニット
６２  反射ミラー
７０  制御部
７２  メモリ
８１  検査窓
９０  コントローラ
【図１】
2014028067.tif 000003
【図２】
2014028067.tif 000004
【図３】
2014028067.tif 000005
【図４】
2014028067.tif 000006
【図５】
2014028067.tif 000007
【図６】
2014028067.tif 000008
【図７】
2014028067.tif 000009
【図８】
2014028067.tif 000010
【図９】
2014028067.tif 000011
【図１０】
2014028067.tif 000012
【図１１】
2014028067.tif 000013